(57)【特許請求の範囲】
【請求項１】
線材の圧着端子と接続するねじ端子部と素線と接続するばね式端子部と基板のカードエッジ端子と接続するカードエッジ接点部を備えた端子台であって、
略角形Ｕ字状に折曲形成され、中央部の両側の折曲部近傍から両側部の略中央までそれぞれ開口する開口部が形成され、一側の開口部から素線が挿入されて一側部の内面に接触する導電部材と、
略角形Ｕ字状に折曲形成されて前記導電部材の外側に密着され、中央部が前記導電部材の中央部とねじで固定されて形成されるねじ式端子部と、一側部の折曲部近傍に前記素線を挿入する挿入部が形成され他側部に前記導電部材の他側の開口部を通して内方に延出し先端が前記素線に接触するばね式端子部と、前記一側部又は他側部の何れか一方の側部の先端に基板のカードエッジ端子に接触可能なカードエッジ接点部が一体に形成された端子部材と、
前記導電部材と端子部材が固定された状態で収容固定するケースとを備えたことを特徴とする端子台。
【請求項２】
前記導電部材は、中央部の略中央位置に前記ねじが螺合するねじ穴が形成され、両側部の先端両側に係止爪が形成され、これらの係止爪は側部から外側にかつ折曲部方向に向かって突出して形成されていることを特徴とする、請求項１に記載の端子台。
【請求項３】
前記端子部材は、ばね性を有する金属板からなり、
前記ばね式端子部は、一側部の略中央から中央部を経て他側部の略中央までスリットをなして舌片状に打ち抜かれ、その付け根部近傍から内方に略半円形状に湾曲された後前記一側部に向けて延出し更に前記中央部から離間する方向に斜めに折曲されて先端が前記導電部材の一側部の内面にばね力を有して当接し、
前記スリットは前記素線を挿通する挿通部をなすと共に前記ねじが挿通可能とされていることを特徴とする、請求項１又は請求項３に記載の端子台。
【請求項４】
前記端子部材のカードエッジ接点部は、前記導電部材の対応する側部の両側に形成された係止爪の間に形成され、前記側部の先端近傍において外側に略Ｖ字状に折り返されて形成されていることを特徴とする、請求項１乃至請求項３の何れかに記載の端子台。
【請求項５】
前記ケースは、前記導電部材の両側部と対向する両側部が両側の端板に連設されかつ先端に前記導電部材の両側部の係止爪を係止する係止部が形成され、
前記両側の端板には前記導電部材の中央部の内側の縁部を支持して前記係止部と協働して前記導電部材を固定する支持部が形成され、
前記導電部材のカードエッジ接点部と対向する側部には開口部が形成され、前記カードエッジ接点部を収容して前記基板のカードエッジ端子に接触可能とされていることを特徴とする、請求項１乃至請求項４の何れかに記載の端子台。
【発明の詳細な説明】
【技術分野】
【０００１】
本発明は、線材に取付けられた圧着端子と接続するねじ式端子部と線材の素線と接続するばね式端子部と基板のカードエッジ端子と接続するカードエッジ接点部を一体に設けた端子台に関する。
【背景技術】
【０００２】
端子台として線材の素線（撚り線）に圧着端子を付けてねじで固定するねじ式端子と、素線（単線）にばね性を有する端子部材を圧接させるばね式端子がある。このようなタイプの端子台として、ねじにより結線を行うねじ式端子とばねにより結線を行うばね式端子とを導通板により導通させ、１つの端子に複数の結線を要する場合はねじ式端子を利用し、１つの端子に１本の結線を行う場合はばね式端子を利用し、より多くの結線を行う場合は、導通板により接続されたねじ式端子とばね式端子の両方を利用する端子台が提案されている（例えば、特許文献１参照）。
【特許文献１】特開平７−７３９１３号公報（２−３頁、図３）
【発明の開示】
【発明が解決しようとする課題】
【０００３】
ところで、線材に付けた圧着端子や単線の素線と基板のカードエッジ端子とを接続することができる端子台が要望されている。しかしながら、特許文献１に記載されている端子台においては構造上素線又は圧着端子を接続することは可能であるが、素線又は圧着端子とカードエッジ端子とを接続することができない。また、そのような構成については何ら記載されていない。
【０００４】
圧着端子や素線と基板のカードエッジ端子とを接続する端子台として、圧着端子を固定するねじ式端子と素線に接触するばね式端子部を形成した端子部材と、カードエッジ端子に接触するカードエッジ接点部材を別体に形成し、端子部材とカードエッジ接点部材とを接続する接続部材を設けた構造のものが考えられる。しかしながら、このような構成においては端子部材とカードエッジ接点部材とを接続する接続部材が必要となり、部品点数が多くなり、組立が複雑になる等の不具合がある。
【０００５】
本発明の目的は、圧着端子と接続するねじ式端子部と単線の素線に接続するばね式端子部と基板のカードエッジ端子に接続するカードエッジ接点部を一体に設け、部品点数が少なく組立が簡単な端子台を提供することにある。
【課題を解決するための手段】
【０００６】
上述した課題を解決するために、本発明の請求項１に係る端子台は、
線材の圧着端子と接続するねじ端子部と素線と接続するばね式端子部と基板のカードエッジ端子と接続するカードエッジ接点部を備えた端子台であって、
略角形Ｕ字状に折曲形成され、中央部の両側の折曲部近傍から両側部の略中央までそれぞれ開口する開口部が形成され、一側の開口部から素線が挿入されて一側部の内面に接触する導電部材と、
略角形Ｕ字状に折曲形成されて前記導電部材の外側に密着され、中央部が前記導電部材の中央部とねじで固定されて形成されるねじ式端子部と、一側部の折曲部近傍に前記素線を挿入する挿入部が形成され他側部に前記導電部材の他側の開口部を通して内方に延出し先端が前記素線に接触するばね式端子部と、前記一側部又は他側部の何れか一方の側部の先端に基板のカードエッジ端子に接触可能なカードエッジ接点部が一体に形成された端子部材と、
前記導電部材と端子部材が固定された状態で収容固定するケースとを備えたことを特徴としている。
【０００７】
線材に付けられた圧着端子と基板のカードエッジ端子を接続する場合、端子部材と導電部材とを固定するねじにより形成されたねじ式端子部により端子部材に圧着端子を固定する。また、ケースに基板を挿入してカードエッジ端子を端子部材のカードエッジ接点部に接触させる。
【０００８】
線材の素線と基板のカードエッジ端子を接続する場合、素線を端子部材の挿入部及び導電部材の対応する開口部から挿入する。素線は導電部材の一側部の内面に当接して挿入され、その先端がばね式端子部の先端を押動して押し広げて一側部の内面と先端との間に挟み込まれる。これにより、素線が端子部材に接続される。また、ケースに基板を挿入してカードエッジ端子を端子部材のカードエッジ接点部に接触させる。これにより、圧着端子又は素線と基板のカードエッジ端子とを簡単に接続することができる。
【０００９】
また、本発明の請求項２に係る端子台は、請求項１に記載の端子台において、
前記導電部材は、中央部の略中央位置に前記ねじが螺合するねじ穴が形成され、両側部の先端両側に係止爪が形成され、これらの係止爪は側部から外側にかつ折曲部方向に向かって突出して形成されていることを特徴としている。
【００１０】
導電部材は、端子部材が外側に密着された状態で中央部のねじ穴にねじで固定されて端子部材と一体となる。この端子部材が一体に固定された導電部材を、係止爪を介してケースに固定する。これにより、端子部材と導電部材をケースに簡単に収容して固定することができる。
【００１１】
また、本発明の請求項３に係る端子台は、請求項１又は請求項２に記載の端子台において、
前記端子部材は、ばね性を有する金属板からなり、
前記ばね式端子部は、一側部の略中央から中央部を経て他側部の略中央までスリットをなして舌片状に打ち抜かれ、その付け根部近傍から内方に略半円形状に湾曲された後前記一側部に向けて延出し更に前記中央部から離間する方向に斜めに折曲されて先端が前記導電部材の一側部の内面にばね力を有して当接し、
前記スリットは前記素線を挿通する挿通部をなすと共に前記ねじが挿通可能とされていることを特徴としている。
【００１２】
端子部材は、導電部材の外側に密着して固定された状態においてばね式端子部が導電部材の対応する開口部を通して導電部材内に挿入され、その先端が導電部材の対向する側部の内面にばね力で圧接（接触）している。端子部材のスリット及び導電部材の一側部の開口部を通して挿入された素線は、その先端がばね式端子部のばね力に抗して押し開き、導電部材の一側部の内面とばね式端子部の先端との間に挟まれてこれらと接触する。これにより、素線と端子部材とが電気的に接続される。
【００１３】
また、本発明の請求項４に係る端子台は、請求項１乃至請求項３の何れかに記載の端子台において、
前記端子部材のカードエッジ接点部は、前記導電部材の対応する側部の両側に形成された係止爪の間に形成され、前記側部の先端近傍において外側に略Ｖ字状に折り返されて形成されていることを特徴としている。
【００１４】
端子部材は、導電部材の外側に密着して固定された状態においてカードエッジ接点部が導電部材の両側の係止爪の間から外側に略Ｖ字状に張り出して基板のカードエッジ端子と接触する。これにより、端子部材と基板のカードエッジ端子とを簡単に接続することができる。従って、圧着端子や素線と基板のカードエッジとを簡単に接続することが可能となる。
【００１５】
また、本発明の請求項５に係る端子台は、請求項１乃至請求項４の何れかに記載の端子台において、
前記ケースは、前記導電部材の両側部と対向する両側部が両側の端板に連設されかつ先端に前記導電部材の両側部の係止爪を係止する係止部が形成され、
前記両側の端板には前記導電部材の中央部の内側の縁部を支持して前記係止部と協働して前記導電部材を固定する支持部が形成され、
前記導電部材のカードエッジ接点部と対向する側部には開口部が形成され、前記カードエッジ接点部を収容して前記基板のカードエッジ端子に接触可能とされていることを特徴としている。
【００１６】
端子部材と一体に固定された導電部材は、ケースの対応する側部間に収容されて両側の係止爪が対応する係止部に係止され、端子部材のカードエッジ接点部が対応する他側の開口部に収容される。そして、ケースの両端板の支持部が導電部材の中央部の内側面に当接して導電部材を逸脱不能に固定する。
【発明の効果】
【００１７】
本発明によると、線材に取付けられた圧着端子と接続するねじ式端子部と素線に接続するばね式端子部と基板のカードエッジ端子に接続するカードエッジ接点部とを一体に形成することにより、圧着端子や素線とカードエッジ端子とを簡単に接続することが可能となる。また、部品点数が少なくなり、組立が簡単な端子構造となると共にコストの低減が図られる。
【発明を実施するための最良の形態】
【００１８】
以下、本発明の実施形態に係る端子台を図面に基づいて説明する。図１は本発明に係る端子台の斜視図を示す。端子台１は、導電部材２と、端子部材３と、導電部材２と端子部材３とを固定するねじ４及びワッシャ５と、導電部材２と端子部材３とを固定した状態で収容するケース６により構成されている。
【００１９】
導電部材２は、略角形Ｕ字形状（図面との関係では逆Ｕ字状になる）に折曲されて中央部２ａ、側部２ｂ、側部２ｃが一体に形成されている。中央部２ａの中央位置にねじ４が螺合するねじ穴２ｄが形成されており、両側の折曲部近傍から一側の側部２ｂ，他側の側部２ｃの略中央近傍まで開口する角形の開口部２ｅ，２ｆが形成されている。そして、両側部２ｂ，２ｃの先端（図中下端）の両側に係止爪２ｇ，２ｈが形成されている。開口部２ｅ，２ｆは、図中上方から見て側部２ｂ，中央部２ａ及び側部２ｃの中央に位置している。
【００２０】
係止爪２ｇ，２ｈは、図２に示すように付け根部から側部２ｂ，２ｃの外側にかつ折曲部側（図中上方）に向けて斜めに略板厚程度張り出し、先端部が側板２ｂ，２ｃと平行に延出し、端面が平面をなして形成されている。これらの係止爪２ｇ，２ｈは、側部２ｂ，２ｃの先端両側を切り起こして形成されている。この導電部材２は、厚板の導電性部材例えば銅板により形成されており剛性を有している。そして、導電部材２は、図１に示すように左右対称に形成されている。このように導電部材２を左右対称に形成することにより、端子部材３との組み付け性の向上を図ることができる。
【００２１】
端子部材３は、導電性及びばね性を有する例えばリン青銅の薄板により形成されている。この端子部材３は、導電部材２と対応して略角形Ｕ字形状（図面との関係では逆Ｕ字状になる）に折曲されかつ導電部材３の外側に密着して取り付け可能とされており、後述するばね式端子部３ｆとカードエッジ接点部３ｋが一体に形成されている。端子部３の一側の側部３ｂは、導電部材２の対応する側部２ｂの開口部２ｅの下端よりも僅かに下方に位置する長さとされている。また、他側の側部３ｃは、導電部材部材２の対応する側部２ｃの長さよりも長く形成されている。
【００２２】
端子部材３には、一側の側部３ｂの略中央から中央部３ａを経て他側の側部３ｃの略中央に至る長いスリット３ｄが形成されており、当該スリット３ｄの内側部が長い舌片状をなしている。そして、この長い舌片状の部分がばね式端子部３ｆとされている。ばね式端子部３ｆは、一端が側部３ｂ側の端面から切り離されて自由端とされ、他端が側部３ｃ側に連設されている。スリット３ｄは、図１の上方から見て側部３ｂ、中央部３ａ及び側部３ｃの中央を通りかつねじ４が挿通可能な幅とされている。
【００２３】
ばね式端子部３ｆは、図３に示すように付け根部分３ｇが中央部３ａ側（図中上部）に向けてかつ内方に向けて略半円形状に湾曲され、次いで、側部３ｂ側に向けて略直角に折り曲げられて中央部３ａと略平行な平板部３ｈが形成され、この平板部３ｈの略中央が中央部３ａから離隔する方向に折曲されて斜めに延出している。そして、平板部３ａの折曲された先端３ｉが導電部材１の側部３ｂの内面に当接可能とされている。ばね式端子部３ｆは前述したように長く形成されていることにより、側部３ｃの付け根部分から側部３ｂに至るまで延出可能となり、かつ導電部材２の対向する側部２ｂの内面にばね力を有して圧接（接触）することが可能とされている。
【００２４】
端子部材３の側部３ｃは、導電部材２の対応する側部２ｃよりも長く形成されており、その先端にカードエッジ接点部３ｋが形成されている。このカードエッジ接点部３ｋは、両側部に導電部材２の側部２ｃ両側に形成されている係止爪２ｈとの干渉を避けるために切欠部３ｊが形成されておりその分だけ細くなっている。
【００２５】
カードエッジ接点部３ｋは、導電部材２の側部２ｃの略先端近傍位置において側部３ｃの外側に略Ｖ字状をなして折曲部側（図中上方）方向に向けて斜めに折り返され、先端が内側（側部３ｃ側）に向けて折曲されている。これにより、カードエッジ接点部３ｋがカードエッジ端子に滑らかに接触することが可能となる。また、カードエッジ接点部３ｋは、中央に長手方向に沿ってスリット３ｍが形成されて２分割されており、彎曲し易くなっている。
【００２６】
ケース６は、端板６ａに連設された側板６ｂ，６ｃの間に図中上方から導電部材３に固定された端子部材２の側部２ｂ，２ｃが挿入可能とされ、導電部材３の側部３ｂ，３ｃの両側の係止爪２ｇ，２ｈと対応する位置に係止部６ｄ，６ｅが形成されている。側板６ｃは、図中上端面から係止部６ｅまでテーパ状をなして僅かに傾斜面をなしており、導電部材３が挿入し易くなっている。
【００２７】
側板６ｃには、中央部に開口部６ｆが形成されており、導電部材３のカードエッジ接触部３ｋを収容可能とされている。そして、側板６ｃ側に図中下方から基板が挿入可能とされ、当該基板のカードエッジ端子にカードエッジ接点部３ｋが接触するようになっている。
【００２８】
また、端板６ａには側板６ｂ，６ｃの間に支持部６ｈが導電部材２の中央部２ａの長手方向に沿って形成されている。この支持部６ｈは、導電部材２の中央部２ａの内側縁部（下側縁部）に当接して支持する。側板６ｂ，６ｃのハッチングで示されている部位も図示しない端板（端板６ａに相当）に連設されている。そして、この端板にも導電部材２の中央部２ａを内側の縁部を支持する支持部（支持部６ｈに相当）が形成されている。
【００２９】
側板６ｂ，６ｃの係止部６ｄ，６ｅは、導電部材２がケース６の図中上方へ抜け出すことを防止し、支持部６ｈは導電部材２がケース６の図中下方へ抜け落ちることを防止する。即ち、ケース６は、係止部６ｄ，６ｅ及び支持部６ｈにより導電部材３を逸脱不能に収容するように形成されている。そして、このようなケース６が隣り合う端板６ａを共有して複数並設されている。
【００３０】
次に、端子台１の組み付け手順について説明する。先ず、図１に示す導電部材２の側部２ｃの開口部２ｆから端子部材３のカードエッジ接点部３ｋを挿通し、端子部材３のスリット３ｄと導電部材２の開口部２ｅ，２ｆを一致させて導電部材２の外側に端子部材３を密着して取り付ける。そして、端子部材３のスリット３ｄを通して導電部材２の中央部２ａのねじ穴２ｄにワッシャ５を介してねじ４で締め付けて固定する。
【００３１】
この状態において、端子部材３の中央部３ａ、両側部３ｂ，３ｃが導電部材２の中央部２ａ、両側部２ｂ，２ｃに密着して電気的に接続されている。そして、端子部材３のカードエッジ接点部３ｋの先端３ｉが図４に示すように導電部材２の対向する側部２ｂの内側面にばね力を有して圧接している。そして、ねじ４及びワッシャ５と端子部材３及び導電部材２とによりねじ端子部が形成される。
【００３２】
次に、導電部材２に端子部材３を固定した状態でケース６の側板６ｂ，６ｃの間にケース６の図中上方から導電部材２を両側部２ｂ，２ｃの係止爪２ｇ，２ｈ側から圧入する。このとき、端子部材３のカードエッジ接点部３ｋが側部６ｃの開口部６ｆ内に収容される。そして、導電部材２の側部２ｂ，２ｃの係止爪２ｇ，２ｈをケース６の側部６ｂ，６ｃの係止爪６ｄ，６ｅに係止させる。この状態においてケース６の端面６ａの支持部６ｈが導電部材２の中央部２ａの内側面（下面）の縁部に沿って当接して当該位置に支持する。これにより、図４に示すようにケース６内に導電部材２及び端子部材３が一体に収容固定される。
【００３３】
そして、端子部材３のスリット３ｄ、導電部材２の一側の開口部２ｅから線材１１の素線（単線）１２を挿入する。素線１２は、導電部材２の一側の側部２ｂの内側面に接触しながら挿入され、先端がばね式端子部３ｆの先端３ｉをばね力に抗して矢印方向に押動して開き、被覆１３との付け根部が端子部材３の中央部３ａ、即ちスリット３ｄの両側部に当接するまで挿入される。
【００３４】
素線１２の付け根部分が端子部材３の中央部に当接した状態において、図５に示すように素線１２が導電部材２の一側の側部２ｂの内側面とばね式端子部３ｆの先端３ｉとの間にばね力により挟持され、かつ先端３ｉよりも僅かに下方に突出している。これにより、素線１２がばね式端子部３ｆに電気的に接続される。素線１２に引き抜き方向の力が作用した場合には、ばね式端子部３ｆの先端３ｉの角部（エッジ）が素線１２の表面に食い込むように作用する。これにより、素線１２が先端３ｉから外れて抜け出ることが防止される。
【００３５】
そして、ケース６の側部６ｃ側に下方から基板１５のカードエッジ１５ａを挿入してその端子（ランド）１６を端子部材３のカードエッジ接点部３ｋに圧接させる。これにより、図５に示すように素線１２とカードエッジ端子１６とを電気的に接続することができる。
【００３６】
端子台１から線材１１を取り外すときには、図５に示す端子部材３のばね式端子部３ｆの付け根部分側のスリット３ｄ及び導電部材３の開口部３ｆから、例えばドライバの先端を差し込んでばね式端子部３ｆを図中下方に押し下げて先端３ｉを素線１２から離隔させる。これにより、端子台１から素線１２を引き抜くことができる。
【００３７】
また、接続すべき線材の素線（撚り線）に圧着端子が接続されている場合には、端子部材２を導電部材３に固定するねじ４を緩めてワッシャ５と端子部材２の中央部２ａとの間に前記圧着端子を挿入し、ねじ４を締め付けて固定する。これにより、圧着端子付きの線材と基板のカードエッジ端子とを接続することができる。
【００３８】
図６は、図１及び図４に示す端子台１の変形例を示す。尚、図６において図１と同一又は対応する部材には同一又は対応する符号を付して詳細な説明を省略する。図６において、端子部材３’は、側部３ｃ’を端子部材２の側部２ｃの先端から延出させて内側に向けて略Ｖ字状に折り返し、更に先端を外側（側部３ｂ側）に曲げてカードエッジ接点部３ｋ’を形成したものである。即ち、カードエッジ接点部３ｋ’を端子部材３の内側に向けて形成したものである。
【００３９】
以上説明したように本発明によれば、導電部材の中央部と端子部材の中央部をねじで固定することにより、これらを電気的及び機械的に簡単に一体に固定してねじ式端子部を形成し、端子部材にばね式端子部とカードエッジ接点部を形成することにより、これらのねじ式端子部とばね式端子部とカードエッジ接点部を一体に形成することができ、部品点数が少なく、組立が簡単な構造の端子台を形成することができる。また、これに伴いコストの低減が図られる。
【００４０】
また、導電部材と端子部材を、導電部材の中央部と端子部材の中央部をねじで固定することにより、これらを電気的及び機械的に簡単に一体に固定することができる。そして、ねじと端子部材との間に圧着端子の端子部を形成することができる。
【００４１】
また、導電部材と外側に密着した端子部材とを中央部のねじ穴にねじで固定して一体とし、導電部材を、係止爪を介してケースに収容固定することにより、端子部材と導電部材をケースに簡単に収容して固定することができる。
【００４２】
また、導電部材の外側に端子部材を密着固定してばね式端子部を導電部材の対応する開口部を通して導電部材内に挿入し、その先端を導電部材の対向する側部の内面にばね力により押し付けることにより、素線とばね式端子部材とを簡単に接続することができる。
【００４３】
また、導電部材の外側に端子部材を密着して固定した状態においてカードエッジ接点部を導電部材の両側の係止爪の間から外側に略Ｖ字状に張り出させて基板のカードエッジ端子と接触させることにより、端子部材と基板のカードエッジ端子とを簡単に接続することができる。
【００４４】
また、端子部材と一体に固定された導電部材をケースの対応する側板間に収容し、両側部の係止爪を対応する係止部に係止し、端子部材のカードエッジ接点部を対応する側板の中央に開口している開口部に収容する。そして、ケースの両端板の支持部を導電部材の中央部の内側に当接させて内側から支持することにより、係止部と協働して端子部材と導電部材をケース内に逸脱不能に固定することができる。
【図面の簡単な説明】
【００４５】
【図１】本発明に係る端子台の一部省略組立斜視図である。
【図２】図１に示した端子台の導電部材の断面図である。
【図３】図１に示した端子台の端子部材の断面図である。
【図４】図１に示した端子台を組み立てた状態の断面図である。
【図５】図４に示した端子台に素線とカードエッジ端子とを接続した状態の説明図である。
【図６】図４に示した端子台の変形例を示す断面図である。
【符号の説明】
【００４６】
１    端子台
２    導電部材
２ａ    中央部
２ｂ，２ｃ    側部
２ｄ    ねじ穴
２ｅ，２ｆ    開口部
２ｇ，２ｈ    係止爪
３，３’    端子部材
３ａ    中央部
３ｂ，３ｃ，３ｃ’    側部
３ｄ    スリット
３ｆ，３ｆ’    ばね式端子部
３ｇ    付け根部分
３ｈ    平板部
３ｉ    先端
３ｊ    切欠部
３ｋ，３ｋ’    カードエッジ接点部
３ｍ    スリット
４    ねじ
５    ワッシャ
６    ケース
６ａ    端板
６ｂ，６ｃ    側板
６ｄ，６ｅ    係止部
６ｆ    開口部
６ｈ    支持部
１１    線材
１２    素線
１３    被覆
１５    基板
１５ａ    カードエッジ
１６    カードエッジ端子
【図１】
0004914853.tif 000002
【図２】
0004914853.tif 000003
【図３】
0004914853.tif 000004
【図４】
0004914853.tif 000005
【図５】
0004914853.tif 000006
【図６】
0004914853.tif 000007